(57)【要約】【課題】パネル体の強度を高め、且つ非常時にはパネル体を打ち破って避難路を確保することができる避難用間仕切り装置を提供する。【解決手段】左右対をなす左，右枠体15，15Ａと、上下対をなす上横枠体14，横枠体12，下横枠体14Ａと、それら縦枠体15，15Ａと横枠体14，12，14Ａとの間に設けられたパネル体13，13とを備える。パネル体13は、表裏に間隔を置いて設けられそれぞれ破断可能な表，裏パネル31，31Ａと、これら表，裏パネル31，31Ａ間に一体に設けられた中間体32と、それら表，裏パネル31，31Ａ間に設けられ中間体32を除いた空間部33とを備える。表，裏パネル31，31Ａを１枚ずつ打ち破るから、１枚を破断するために必要な力は比較的小さく済む。【選択図】図１
2007224607.tif 000002
【特許請求の範囲】
【請求項１】
左右対をなす縦枠体と、上下対をなす横枠体と、それら縦枠体と横枠体との間に設けられたパネル体とを備えた避難用間仕切り装置であって、前記パネル体は、表裏に間隔を置いて設けられそれぞれ破断可能な表，裏パネルと、これら表，裏パネル間に設けられた中間体と、それら表，裏パネル間に設けられた空間部とを備えることを特徴とする避難用間仕切り装置。
【請求項２】
前記表，裏パネル間の間隔は、これら表，裏パネルの厚さより広いことを特徴とする請求項１記載の避難用間仕切り装置。
【請求項３】
前記中間体は前記表裏パネルより比重が軽いことを特徴とする請求項１又は２記載の非難用間仕切り装置。
【請求項４】
前記空間部をパネル体の中央側に設けたことを特徴とする請求項１〜３のいずれか１項に記載の避難用間仕切り装置。
【発明の詳細な説明】
【技術分野】
【０００１】
本発明は、マンションなどの集合住宅の各戸を仕切るためにベランダ、バルコニー等に設けられる避難用間仕切り装置に関し、特に避難経路を確保するためにパネル体を破断して通行を可能とする避難用間仕切り装置に関する。
【背景技術】
【０００２】
一般にこの種の間仕切りはマンション、アパート等の集合住宅のバルコニーやベランダに設置されるものであり、その間仕切りにより隣接する各世帯ごとにバルコニーやベランダ等を仕切っている。
【０００３】
そして、四周を枠組み形成した間仕切り枠内に破断可能なパネルを嵌め込んでおき、非常時には予め設置しておいたハンマーなどによって、パネルを打ち破って避難路を確保するもの（例えば特許文献１）や、パネルを不燃性の硅酸カルシウム板等から形成し、避難の際、人力で壊すことを可能としたもの（例えば特許文献２）を用いることが知られている。
【特許文献１】特開平１１−２８０１４５号公報（段落０００２段）
【特許文献２】実用新案登録第２６０６１７４号公報（段落０００９段）
【発明の開示】
【発明が解決しようとする課題】
【０００４】
上記のように、間仕切り装置のパネルには、通常、人力で打ち破って避難路を確保できるものが用いられている。
【０００５】
ところで、近年、ビルなどの建築物は高層化が図られており、高層階に設けられる間仕切り装置は、強い風に晒され、パネルは大きな風荷重に耐える強度が必要となる。
【０００６】
そして、このように風荷重だけを考慮すれば、強度のあるフレキシブルボード等を使用したり、硅酸カルシウム板等からなるパネルを厚くすれば済むが、強度のあるボードを使用したりパネルを厚くしたりすると、非常時に人力でスムーズに打ち破れなくなる虞がある。また、単に厚くしただけでは、間仕切り装置の重量が増し、高層建築などでの運搬や据付作業が煩雑になることが予想される。
【０００７】
そこで、本発明は、このような問題を解決しようとするもので、パネル体の風圧強度を高め、且つ非常時にはパネル体を打ち破って避難路を確保することが容易にできる避難用間仕切り装置を提供することを目的とする。
【課題を解決するための手段】
【０００８】
請求項１の発明は、左右対をなす縦枠体と、上下対をなす横枠体と、それら縦枠体と横枠体との間に設けられたパネル体とを備えた避難用間仕切り装置であって、前記パネル体は、表裏に間隔を置いて設けられそれぞれ破断可能な表，裏パネルと、これら表，裏パネル間に設けられた中間体と、それら表，裏パネル間に設けられた空間部とを備えものである。
【０００９】
また、請求項２の発明は、前記表，裏パネル間の間隔は、これら表，裏パネルの厚さより広いものである。
【００１０】
また、請求項３の発明は、前記中間体は前記表裏パネルより比重が軽いものである。
【００１１】
また、請求項４の発明は、前記空間部をパネル体の中央側に設けたものである。
【発明の効果】
【００１２】
請求項１の発明によれば、表パネルの空間部に対応する箇所を表から打ち破ると、空間部により裏パネルの裏面が現れ、裏面から裏パネルを打ち破ることにより、パネル体を打ち破ることができる。このように表，裏パネルを１枚ずつ打ち破るから、１枚を破断するために必要な力は比較的小さく済むため、子供，女性，高齢者等でも素早く避難出来る。また、パネル体は、表パネルと中間体と裏パネルとを一体化した構造により、風荷重などに対しては、従来の１枚パネルよりもはるかに高い風圧強度が得られる。
【００１３】
また、請求項２の発明によれば、裏パネルが邪魔にならず、表パネルを打ち破り易くなる。
【００１４】
また、請求項３の発明によれば、全体としてパネル体が軽量なものになる。
【００１５】
また、請求項４の発明によれば、中央側を叩くなどすればよく、位置的及び構造的にも、打ち破り易くなる。すなわち、枠体に近い位置よりは自然に叩き易く、また、枠体に近いと枠体に規制され、破断し難いが、中央側のため、構造的に破り易い。
【発明を実施するための最良の形態】
【００１６】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な避難用間仕切り装置を採用することにより、従来にない安全・安心な避難用間仕切り装置が得られ、その避難用間仕切り装置を夫々記述する。
【実施例１】
【００１７】
以下、本発明の避難用間仕切り装置を添付図面を参照して説明する。図１〜図４は、本発明の実施例１を示し、同図に示すように、間仕切り装置１は、間仕切り本体２と、この間仕切り本体２をバルコニー等の固定部に取り付ける取付手段たる取付部材21とを備える。
【００１８】
前記間仕切り本体２は、アルミニウムまたはその合金製からなる外枠11の略中央に該枠11と同材質からなる横枠体12が横設されとともに、前記外枠11内の上下にパネル体13，13が装着されている。前記外枠11は、横枠体たる上，下横枠体14，14Ａと、この下横枠体14の端部から立設された左，右縦枠体15，15Ａとを有する。それら上，下横枠体14，14Ａと左，右縦枠体15，15Ａの断面形状は、図１などに示すように断面略矩形の枠状部16に凹溝部17が一体に形成されている。そして、前記上下のパネル体13，13は、その端部を押え部材18を介して前記凹溝部17に挿入配置し前記外枠11の上下に取付けられ、また、同様に横枠体12にも、上下パネル13，13の端部を挿入配置して取り付けられ、それら上下パネル13，13の一方は避難の際、人力で壊すことが可能なものが用いられる。尚、前記左，右縦枠体15，15Ａが間仕切り本体２の外側縦部分である。
【００１９】
図中101は建物の壁部、102は前記建物の壁部101から外側に形成されたバルコニー躯体であり、これら壁部101及びバルコニー躯体102により固定部を構成しており、前記バルコニー躯体102上方の空間を仕切るように、取付部材21により前記間仕切り本体２が取り付けられる。また、図中104はバルコニー躯体102の上部の庇部である。前記取付部材21は、図４に示すように、前記建物の壁部101やバルコニー躯体102に形成された垂直部たる垂壁部103に固定されるアンカーボルト22と、Ｌ型の取付片23と、この取付片23と前記外枠11とを固定するボルト，ナット等の締着部材24とを備え、前記取付部材21により、右縦枠体15Ａが建物の壁部101に上端側及び下端側で固定されると共に、左縦枠体15が垂壁部103に中間部及び下端側で固定されている。
【００２０】
図１に示すように、前記パネル体13は、不燃性の硅酸カルシウム板等からなる表，裏パネル31，31Ａを間隔Ｋを置いて表裏に配置し、この間隔Ｋは前記パネル31，31Ａの厚さよりも広く、それら表，裏パネル31，31Ａ間に、断熱材等からなる中間体32を設け、この中間体32により表，裏パネル31，31Ａを一体化しており、前記断熱材としては、発泡材が例示され、例えば、発泡ウレタンフォーム、発泡ポリスチレン樹脂、発泡ポリスチレン/ポリスチレン共重合樹脂や発泡性スチレン系樹脂など各種のものを用いることができ、中間体32は前記表，裏パネル31，31Ａより比重が小さく軽いものが用いられる。尚、表，裏パネル31，31Ａは同一材質とすることが好ましく、少なくとも外観が同一のものを用いる。また、前記表，裏パネル31，31Ａの間には、中間体33を設けないで除いた中間体除去部たる空間部33が設けられており、この例では、上下のパネル体13，13は、略正方形形状をなし、高さ方向においてその上側３分の１と下側３分の１に前記中間体32，32を設け、その中央側３分の１を、中間体32を設けない空間部33としている。尚、この空間部33の左右両側は、前記表，裏パネル31，31Ａの端部において、それぞれ開口している。また、図３に示すように、表，裏パネル31，31Ａの表面には、前記空間部33の中央側に、該中間部33の位置を示す印34を設けておくことが好ましい。
【００２１】
次に、構成につき、その作用を説明すると、間仕切り装置１を建築物の高層階に設定し、強い風を受けても、表，裏パネル31，31Ａに中間体32を挟んで一体化した構造により、風荷重に対して高い強度が得られる。一方、非常時などにおいて、パネル体13を打ち破るには、まず、表側から表パネル31の中央側、すなわち印34箇所を叩くなどして打ち破る。表パネル31が割れると、空間部32により、裏パネル31Ａの裏面が現れるので、この裏面を叩くなどして裏パネル31を割り、パネル体13全体を打ち破ることができる。
【００２２】
このような緊急の場合、表パネル31を破って別の材質、外観のものが表れると、避難者に動揺を与えて、次の動作を躊躇させる虞があるが、本発明では、表パネル31を破って表れる裏パネル31Ａは、該表パネル31と同質のもので、少なくとも外観が同一であり、避難者は、表パネル31を割ることができたので、同様にして躊躇なく裏パネル31Ａを叩いて、これを割ることができ、安全に避難することができる。
【００２３】
このように本実施例では、請求項１に対応して、左右対をなす縦枠体たる左，右枠体15，15Ａと、上下対をなす上横枠体14，横枠体12，下横枠体14Ａと、それら縦枠体15，15Ａと横枠体14，12，14Ａとの間に設けられたパネル体13，13とを備えた避難用間仕切り装置であって、パネル体13は、表裏に間隔を置いて設けられそれぞれ破断可能な表，裏パネル31，31Ａと、これら表，裏パネル31，31Ａ間に一体に設けられた中間体32と、それら表，裏パネル31，31Ａ間に設けられ中間体32を除いた空間部33とを備えるから、表パネル31の空間部33に対応する箇所を表から打ち破ると、空間部33により裏パネル31Ａの裏面が現れ、裏面から裏パネル31Ａを打ち破ることにより、パネル体31を打ち破ることができる。このように表，裏パネル31，31Ａを１枚ずつ打ち破るから、１枚を破断するために必要な力は比較的小さく済む（１枚分で済む）。尚、裏パネル31Ａ側から逆に打ち破る場合も同様である。また、パネル体13は、表パネル31と中間体32と裏パネル31Ａとを一体化した構造により、風荷重などに対しては、単に強度と厚さを増した１枚のパネルよりも、柔軟性のある高い風圧強度が得られ、且つ同一の強度を有する１枚のパネルよりも軽量なものとなる。
【００２４】
また、このように本実施例では、請求項２に対応して、表，裏パネル31，31Ａ間の間隔Ｋは、これら表，裏パネル31，31Ａの１枚の厚さより大きいから、裏パネル31Ａが邪魔にならず、表パネル31を打ち破り易くなる。
【００２５】
また、このように本実施例では、請求項３に対応して、中間体32は表，裏パネル31，31Ａより比重が軽いから、全体としてパネル体13が軽量なものになる。
【００２６】
また、このように本実施例では、請求項４に対応して、空間部32をパネル体13の中央側に設けたから、中央側を叩くなどすればよく、位置的及び構造的にも、打ち破り易くなる。すなわち、外枠11や横桟体12に近い位置よりは自然に叩き易く、また、外枠11や横桟体12に近いと外枠11に規制され、破断し難いが、中央側のため、構造的に破り易い。
【００２７】
また、実施例上の効果として、空間部33の端部両側は、前記表，裏パネル31，31Ａの端部において、それぞれ開口し、表，裏パネル31，31Ａの両側が中間体32と外枠11及び横桟体12によって規制されていないから、破断し易くなる。また、空間部33は所定範囲に連続して設け、例えばパネル体31の面積の４分の１以上、好ましくは３分の１以上の面積だけ連続して設けられているから、表，裏パネル31，31Ａを打ち破り易くなる。
【実施例２】
【００２８】
図５は、本発明の実施例２を示し、上記実施例１と同一部分に同一符号を付し、その詳細な説明を省略して詳述すると、この例では、パネル体13の左右方向においてその右側３分の１と左側３分の１に前記中間体32，32を設け、その中央側３分の１を、中間体32を設けない空間部33としている。尚、この空間部33の上下両側は、前記表，裏パネル31，31Ａの端部において、それぞれ開口している。
【００２９】
このように本実施例においては、請求項１〜４に対応して、上記各実施例と同様な作用・効果を奏する。
【実施例３】
【００３０】
図６は、本発明の実施例３を示し、上記各実施例と同一部分に同一符号を付し、その詳細な説明を省略して詳述すると、この例では、パネル体13の中央に中間体32を設けない空間部33を設け、この空間部33は略円形をなし、直径は300ｍｍ程度である。
【００３１】
このように本実施例では、請求項１〜４に対応して、上記各実施例と同様な作用・効果を奏する。
【００３２】
以上、本発明の実施形態について詳述したが、本発明は前記各実施形態に限定されるものではなく、本発明の要旨の範囲内で種々の変形実施が可能である。例えば、縦枠体と横枠体は必ずしも真っ直ぐである必要はなく、湾曲部分や屈曲部分などがあってもよい。また、パネル及び中間体は各種の材質のものを用いることができる。さらに、実施例３では略円形の空間部を示したが、空間部は方形や多角形形状などでもよい。
【図面の簡単な説明】
【００３３】
【図１】本発明の実施例１を示すパネル体の断面図である。
【図２】同上、一部を切欠いた間仕切り装置の正面図である。
【図３】同上、間仕切り本体の正面説明図である。
【図４】同上、間仕切り本体の要部の断面図である。
【図５】本発明の実施例２を示す間仕切り本体の正面説明図である。
【図６】本発明の実施例３を示すパネル体の斜視図である。
【符号の説明】
【００３４】
１  間仕切り装置
２  間仕切り本体
12  横枠体
13  パネル体
14  上横枠体（横枠体）
14Ａ  下横枠体（横枠体）
15  左縦枠体（縦枠体）
15Ａ  右縦枠体（縦枠体）
31  表パネル
31Ａ  裏パネル
32  中間体
33  空間部
【図１】
2007224607.tif 000003
【図２】
2007224607.tif 000004
【図３】
2007224607.tif 000005
【図４】
2007224607.tif 000006
【図５】
2007224607.tif 000007
【図６】
2007224607.tif 000008